(57)【要約】      （修正有）【課題】デスクでノートＰＣをデスクトップＰＣのように使用したり、取り外して他の場所で使用したりすることが簡単にできるデスクを提供する。【解決手段】天板１と、天板１を支える脚２と、天板１の下部１ａに取り付けられ、天板１に沿って手前Ｆおよび奥Ｂの方向に往復する引出し３であって、ノートＰＣを収納する引出し３と、引出し３に設けられ、ノートＰＣに接続する配線の一端側の中途を引出し３に固定する固定手段５とを含むデスクＴとする。固定手段５で配線の中途が固定されるため、配線のコネクタが引出し３内部で安定するので、ノートＰＣにコネクタを着脱しやすくでき、デスクＴにおいてノートＰＣの据え付けと持ち出しを繰り返すことが簡単になる。【選択図】図１
0003147299.tif 000002
【実用新案登録請求の範囲】
【請求項１】
天板と、
前記天板を支える脚と、
前記天板の下部に取り付けられ、前記天板に沿って手前および奥の方向に往復する引出しであって、ノートＰＣを収納する引出しと、
前記引出しに設けられ、前記ノートＰＣに接続する配線の中途を前記引出しに固定する固定手段とを含むことを特徴とするノートＰＣデスクトップデスク。
【請求項２】
前記引出しは、一段であって、かつ前記奥側から前記引出しに引き込まれる配線を前記手前側から手を伸ばして前記引出しの内部に引き込める配置とすることを特徴とする請求項１記載のノートＰＣデスクトップデスク。
【請求項３】
前記引出しと干渉しない位置に取り付けられた、前記配線を挿入する環状部材をさらに含むことを特徴とする請求項２記載のノートＰＣデスクトップデスク。
【請求項４】
前記固定手段は、前記引出しの前記奥側に設けられた、前記配線を通す溝部と、
前記溝部に設けられた、押圧されることにより前記配線の前記中途を挟み込み固定する弾性体とを有することを特徴とする請求項１乃至請求項３記載のノートＰＣデスクトップデスク。
【請求項５】
前記溝部は、底部に向かって幅が狭くなる複数の開口幅を有しており、前記引出しの複数箇所に設けられることを特徴とする請求項４記載のノートＰＣデスクトップデスク。
【請求項６】
前記引出しの底部は、金属製の部位かまたは貫通孔を有することを特徴とする請求項１乃至請求項５記載のノートＰＣデスクトップデスク。
【請求項７】
前記天板は、電波を透過させる誘電体から成る部位を有することを特徴とする請求項１乃至請求項６記載のノートＰＣデスクトップデスク。
【考案の詳細な説明】
【技術分野】
【０００１】
本考案は、デスクにおいてノートブック型パソコン等のポータブルコンピュータをデスクトップ型パソコンのように使用することのできるノートＰＣデスクトップデスクに関するものである。
【背景技術】
【０００２】
近年、ノートブック型と称される小型のパーソナルコンピュータが普及している（以下、パーソナルコンピュータはパソコン或いはＰＣと記載する。またノートブック型パソコンはノートＰＣと記載する。なお、ノートＰＣのようなものをラップトップコンピュータと称することもある。）このようなノートＰＣは、使わないときには机（デスク）の中等に仕舞っておき、必要なときに取り出して、デスク上で使用することができるという点で便利である。また、必要に応じて室内の他の部屋や外出先に持って行って使用したりすることができる点でも大変利用価値がある。
【０００３】
このようなノートＰＣの使用を前提に考案された、従来のデスクの例として、例えば特許文献１には、デスクトップＰＣ用のキーボードの置き板が可動レールを介して取り付けられたデスクの従来例１が開示されている。この従来例１は、ノートＰＣにデスクトップＰＣ用のキーボードが接続されることにより、ノートＰＣよりもキートップが広くてキーストロークが長いためにキータッチが良好であったり、キー数が多いためにより機能的であったりするデスクトップ用キーボードを用いて、デスク上でノートＰＣを良好に使用することができ、使わないときにはデスク内に収納しておくことができるというものである。
【０００４】
また、特許文献２には、ノートＰＣを収納する収納部が天板の下に開閉できるように設けられたデスクの従来例２が開示されている。この従来例２は、作業面の空間を占領せず、コンピュータのキーボードとモニタとが一直線となるようにされ、身体的な不快感及び疲れを減少させるというものである。
【０００５】
また、同様に他にも特許文献３には、引出し内に電源コンセント、通線口を設けたデスクの従来例３も開示されている。この従来例３は、必要の際にノート型パソコン等を直ちに引出してその場で使用することができるというものである。
【特許文献１】実用−３１０５７０４号公報
【特許文献２】特開２００１−２３６１４３号公報
【特許文献３】特開平１０−２１１０３７号公報
【考案の開示】
【考案が解決しようとする課題】
【０００６】
しかしながら、従来例１、従来例２または従来例３のような従来のデスクでは、ノートＰＣをデスクにおいて、大きなディスプレイモニタやキーボードを接続してデスクトップＰＣのように使用し、外出先等の他の使用場所においてはノートＰＣ単体による本来のノートＰＣの使用をしたいという新らたな課題に対して不便な点があった。
【０００７】
より詳細には、最近のノートＰＣは、ＣＰＵ（Central Processer Unit；中央処理装置）の処理速度やメモリ、ハードディスクなどの記憶装置の記憶容量、その他の性能においてデスクトップＰＣにひけをとらない性能を有するもののディスプレイモニタの画面が狭い、キーボードが小さくて使いにくい等の制約がある。様々な場所に持って行って使用することができるというノートＰＣの利点を活かしつつ、使用場所として長時間使用することの多いデスク上においては、大画面のディスプレイモニタ、所謂テンキーの付いたキーボード、マウス、フラッシュメモリ等の入出力ポートといった入出力用の周辺機器を使用する、デスクトップＰＣのような快適な使用環境が欲しいといった点において課題があると捉え本考案をするに至った。
【０００８】
すなわち、このような課題に対して、従来のデスクでは、デスク内にノートＰＣを収納した状態にして、デスク上等の周辺機器とノートＰＣとの間で接続をとることは可能であったが、上記のような使用方法においては、ノートＰＣはデスクから離れたところで使用するときには周辺機器や電源との接続を外し、またデスクに戻ったときには、それら周辺機器や電源との接続を再度行うといったことを繰り返し行うことから、周辺機器や電源との接続用のケーブルの接続端（コネクタ等）がケーブルの着脱の度に不安定な位置にずれたり、デスクの奥の方に引き込まれてしまったりして、ケーブルの着脱がしにくいという問題点があった。
【０００９】
本考案は以上のような改善が望まれる問題点を解決すべく案出されたものであり、その目的は、デスク内に収納されたノートＰＣをデスク上の周辺機器等と接続して使用したり、ノートＰＣをデスク内から取り出して単体で使用したりすることを選択的にしかも簡単かつ即座に行うことのできるノートＰＣデスクトップデスクを提供することにある。
【課題を解決するための手段】
【００１０】
本考案のノートＰＣデスクトップデスクは、天板と、前記天板を支える脚と、前記天板の下部に取り付けられ、前記天板に沿って手前および奥の方向に往復する引出しであって、ノートＰＣを収納する引出しと、前記引出しに設けられ、前記ノートＰＣに接続する配線の中途を前記引出しに固定する固定手段とを含むことを特徴とするものである。
【００１１】
また、本考案のノートＰＣデスクトップデスクは、上記構成において、前記引出しは、一段であって、かつ前記奥側から前記引出しに引き込まれる配線を前記手前側から手を伸ばして前記引出しの内部に引き込める配置とすることを特徴とするものである。
【００１２】
また、本考案のノートＰＣデスクトップデスクは、上記構成において、前記引出しと干渉しない位置に取り付けられた、前記配線を挿入する環状部材をさらに含むことを特徴とするものである。
【００１３】
また、本考案のノートＰＣデスクトップデスクは、上記いずれかの構成において、前記固定手段は、前記引出しの前記奥側に設けられた、前記配線を通す溝部と、前記溝部に設けられた、押圧されることにより前記配線の前記中途を挟み込み固定する弾性体とを有することを特徴とするものである。
【００１４】
また、本考案のノートＰＣデスクトップデスクは、上記構成において、前記溝部は、底部に向かって幅が狭くなる複数の開口幅を有しており、前記引出しの複数箇所に設けられることを特徴とするものである。
【００１５】
また、本考案のノートＰＣデスクトップデスクは、上記いずれかの構成において、前記引出しの底部は、金属製の部位かまたは貫通孔を有することを特徴とするものである。
【００１６】
また、本考案のノートＰＣデスクトップデスクは、上記いずれかの構成において、前記天板は、電波を透過させる誘電体から成る部位を有することを特徴とするものである。
【考案の効果】
【００１７】
本考案のノートＰＣデスクトップデスクによれば、天板と、前記天板を支える脚と、前記天板の下部に取り付けられ、前記天板に沿って手前および奥の方向に往復する引出しであって、ノートＰＣを収納する引出しと、前記引出しに設けられ、前記ノートＰＣに接続する配線の中途を前記引出しに固定する固定手段とを含むことから、ノートＰＣを引出しに収納し周辺機器等の配線と接続する際、周辺機器等の配線の中途が引出しに固定されていることにより、引出しが出し入れされても配線の一端側にあるコネクタが、引出し内部の所定位置に安定に存在するため、ノートＰＣにコネクタを即座に取り付けることができるものとなる。
【００１８】
また、ノートＰＣを引出しから取り出して持ち出す際、周辺機器等の配線自体が固定手段を介してノートＰＣと接続されているから、配線をノートＰＣおよび固定手段から取り外すことにより、ノートＰＣと共に持ち歩くような周辺機器等の配線を即座に取り外して、ノートＰＣと周辺機器等およびその配線を簡単に他の場所に持ち出すことができるものとなる。
【００１９】
したがって、デスク内に収納されたノートＰＣをデスク上の周辺機器等と接続して使用したり、ノートＰＣをデスク内から取り出して単体で使用したりすることを選択的に簡単かつ即座に行うことのできるノートＰＣデスクトップデスクを提供することができるものとなる。
【００２０】
また、本考案のノートＰＣデスクトップデスクによれば、前記引出しは、一段であって、かつ前記奥側から前記引出しに引き込まれる配線を前記手前側から手を伸ばして前記引出しの内部に引き込める配置とするときには、ノートＰＣが収納される引出しの下側に障害物がないことにより、ノートＰＣが収納される引出しの奥側に容易に手が届くため、引出しの奥側から周辺機器等の配線を簡単に引出しの内部に引き込むことができるので、デスクの手前側に配線が剥き出しになることがなく、美観を損ねないものとなる。
【００２１】
また、本考案のノートＰＣデスクトップデスクによれば、前記引出しと干渉しない位置に取り付けられた、前記配線を挿入する環状部材をさらに含むときには、引出しを手前側に引き出した際、環状部材が配線を保持するため配線が下側に垂れ下がることを防ぐので、配線がデスクを使用する人の足に引っかかったり、美観を損ねたりすることがなくなり、引出しに配線が挿入されていても使いやすいものとなる。
【００２２】
また、本考案のノートＰＣデスクトップデスクによれば、前記固定手段は、前記引出しの前記奥側に設けられた、前記配線を通す溝部と、前記溝部に設けられた、押圧されることにより前記配線の前記中途を挟み込み固定する弾性体とを有するときには、溝部および弾性体が押圧制御により配線の中途を受け止めたり、離したりする働きを適切にするため、引出しの奥側で配線を簡単かつ即座に着脱することができる固定手段を提供することができるものとなる。また、溝部および弾性体は引出しの奥側に設けられるから、引出しの外観を損ねることもなく、また引出し内において障害物となりにくい位置なので、ノートＰＣを収納しない従来の用途においても従来と同様の使用感で引出し内に収納物を収納することのできる汎用性の高いものとなる。
【００２３】
また、本考案のノートＰＣデスクトップデスクによれば、前記溝部は、底部に向かって幅が狭くなる複数の開口幅を有しており、前記引出しの複数箇所に設けられるときには、様々な太さの配線に対して、複数の開口幅のいずれかの溝が適切な押圧力で配線を受け止める働きをするから、様々な周辺機器等の配線を固定することができ、かつそのような溝が複数箇所に設けられることにより、様々なノートＰＣのインターフェースの形状に対してもコネクタの着脱容易な位置に配線を固定することができるので、様々なノートＰＣに対して複数の周辺機器等の配線を即座に着脱することのできる汎用性の高いものとなる。
【００２４】
また、本考案のノートＰＣデスクトップデスクによれば、前記引出しの底部は、金属製の部位かまたは貫通孔を有するときには、金属製の部位かまたは貫通孔が放熱性を高める働きをするから、その上かまたは周辺にノートＰＣを設置することによりノートＰＣからの熱を引出しの外側に逃がすことができるので、ノートＰＣを引出しに収納した状態で安定に使用することができるものとなる。
【００２５】
また、本考案のノートＰＣデスクトップデスクによれば、前記天板は、電波を透過させる誘電体から成る部位を有するときには、天板に設けられるその部位が引出し内に収納されたノートＰＣに入出力される電波を透過される働きをするから、引出し内にノートＰＣを収納しても無線インターフェースを備える周辺機器とノートＰＣとの間で無線を介して入出力することがより確実にできるものとなる。
【考案を実施するための最良の形態】
【００２６】
以下、本考案のノートＰＣデスクトップデスクについて図面を用いつつ詳細に説明する。  図１は、本考案のノートＰＣデスクトップデスクとしてのデスクＴの実施の形態の一例を示す模式図であり、（ａ）、（ｂ）、（ｃ）、（ｄ）および（ｅ）はそれぞれ平面図、正面図、側面図、引出しの拡大斜視図、環状部材の拡大斜視図である。図２は、図１に示すデスクＴの引出しの中にノートＰＣを収納したときの様子を示す平面図である。図３は、図１に示すデスクＴの要部拡大図を示し、図１（ｄ）の部分拡大図である。図４は、図１に示すデスクＴの使用方法の実施の形態の一例を示す斜視図である。図５は、図４に示すデスクＴの使用方法における引出し内部の様子を示す斜視図である。
【００２７】
図１〜図５において、１は天板、１ａは天板１の下部、２は天板１を支える脚、３は引出し、４，４’，４”は配線、４ａ，４’ａは配線４，４’の一端、４ｂ，４”ｂは配線４，４”の中途、５は固定手段、５ａは固定手段５の溝部、５ｂは固定手段５の弾性体、６はノートＰＣ、７は環状部材、８は周辺機器である。
【００２８】
図１に示す、本考案のノートＰＣデスクトップデスクの実施の形態の一例としてのデスクＴは、天板１と、天板１を支える脚２と、天板１の下部１ａに取り付けられ、天板１に沿って手前Ｆおよび奥Ｂの方向に往復する引出し３であって、ノートＰＣ６（図示せず）を収納する引出し３と、引出し３に設けられ、ノートＰＣ６に接続する配線４（図示せず）の一端４ａ側の中途４ｂを引出し３に固定する固定手段５とを含む構成である。
【００２９】
配線４は図２に平面図で示すように、引出し３の固定手段５に中途４ｂが固定され、一端４ａ側は引出し３の内部に載置され、ノートＰＣ６と接続される。通常、配線４は複数あり、この例においては、ディスプレイケーブル、汎用シリアルバス（所謂、ＵＳＢ）ケーブル、ローカルエリアネットワーク（所謂、ＬＡＮ）ケーブルおよびＡＣアダプタを含む電源ケーブルとが、引出し３の内部に収納されたノートＰＣ６に接続され、それぞれの中途４ｂが固定手段５に固定され、他端がデスクＴの外部にある接続部（図示せず）に接続される。電源ケーブルは交流電圧を直流電圧に変換するＡＣアダプタを挟んでノートＰＣ側の配線４’と交流電圧をとる電源コンセント側の配線４”とがあり、電源コンセント側の配線４”の中途４”ｂが固定手段５に固定され、ノートＰＣ側の配線４’の一端４’ａ側のコネクタがノートＰＣ６に接続される。
【００３０】
さらに詳細には、図１に示すデスクＴは、好ましい構成として、引出し３は、一段であって、かつ奥Ｂ側から引出し３に引き込まれる配線４，４”を手前Ｆ側から手を伸ばして引出し３の内部に引き込める配置としている。また、固定手段５は、図１（ｄ）および図３に示すように、引出し３の奥Ｂ側に設けられ、配線４，４”を通す、溝部５ａと、溝部５ａに設けられ、押圧されることにより配線４，４”の中途４ｂ，４”ｂを挟み込んで固定する弾性体５ｂとから成るものとしている。溝部５ａは、一部は底部５ｃに向かって幅が狭くなる複数の開口幅ｗ１，ｗ２を有しており、その他と含め引出し３の４カ所に設けている。弾性体５ｂはシリコンゴムやゴム状の粘着質の材質を使用すればよい。また弾性体５ｂはチューブ状に内部に密閉空間を設けてその密閉空間の気圧で外部に対して弾力性を持たせてもよい。固定手段５は、このようなもの以外にも着脱式ファスナーやゴムバンドのようなものを用いても構わない。
【００３１】
さらに、図１に示すデスクＴは、好ましい構成として、引出し３と干渉しない位置に取り付けられた、配線４，４”を挿入する環状部材７を含んでいる。環状部材７は複数設けても構わなくて、この例では、奥Ｂ側から手前Ｆ側に向かって環状部材７ａ，７ｂ，７ｃを設けている。環状部材７は、図１（ｅ）に斜視図で示すように、それ自体は必ずしも環状に閉じた構造でなくても構わなくて、下部１ａ側に取り付けたときに天板１やその他の部材との間に環状の空間を構成するようなものであればよい。環状部材７ａ，７ｂは、引出し３を奥Ｂ側に押し込んだ状態において、引出し３と干渉しない位置に取り付けられており、大きさは、引出し３の幅および高さよりも小さくすると外観上目立たなくなり好適である。環状部材７ｃは引出し３を取り囲むように引出し３の下側に取り付けられており、引出し３が手前Ｆ側に引き出されたときに天板１その他部材との間に環状の空間を構成する。
【００３２】
このような環状部材７ａ，７ｂ，７ｃにより構成された環状の空間に配線４，４”を挿入することにより、引出し３の出し入れに応じて配線４，４”が移動しても環状部材７が配線４，４”を支え、好ましくは複数点で支えるから配線４，４”が下側に垂れ下がりにくくなるのでよい。環状部材７は、なるべく多く設けたほうが安定性が増すが、多く設けすぎると環状部材７の間隔が狭くなり、配線４，４”を挿入する際、環状部材７の間に手を挿入しにくくなるため作業性が悪くなってしまうので、手の拳が入る程度の間隔をおいて、適当な数だけ設けるのが好ましい。
【００３３】
図１に示す、本考案のノートＰＣデスクトップデスクとしてのデスクＴの実施の形態の一例によれば、配線４，４”の中途４ｂ，４”ｂが引出し３に固定されることから、ノートＰＣ６を引出し３に収納し配線４，４’と接続する際、引出しが出し入れされても配線４，４’の一端４ａ，４’ａ側にあるコネクタが、引出し３内部の所定位置に安定に存在するため、ノートＰＣ６にコネクタを即座に取り付けることができる点で有利である。配線４，４”は中途４ｂ，４”ｂを固定手段５に固定するから、新たな中継器具や中継のための煩雑な作業が必要ないので簡便に配線することができる利点もある。固定手段５は配線４，４”の中途４ｂ，４”ｂを固定する簡単な構造で済むため、汎用性が高くなり工業生産的な利点もある。
【００３４】
また、ノートＰＣ６を引出し３から取り出して持ち出す際、配線４”自体が固定手段５を介してノートＰＣ６と接続されているから、配線４”をノートＰＣ６および固定手段５から取り外すことにより、ノートＰＣ６と共に持ち歩くＡＣアダプタおよび電源ケーブル（配線４’，４”）を即座に取り外して、簡単に他の場所に持ち出すことができる利点もある。同様にＡＣアダプタおよび電源ケーブル（配線４’，４”）以外にもマウスのケーブルを引出し３に収納されたノートＰＣ６に直接接続する場合において、マウスを一緒に持ち歩きたいときに、ノートＰＣ６との接続部と固定手段５の固定部をはずし、マウス本体を引っ張ってケーブルを引き抜くだけの簡単な操作でマウスを取り外すことができる利点もある。
【００３５】
また、図１に示すデスクＴによれば、好ましくは、引出し３を一段とし、かつ奥Ｂ側から引出し３側に引き込む配線４，４”を手前Ｆ側から引出し３の下部に手を挿入して引出し３の奥Ｂ側に引き込むことができるような引出し３の配置とし、ノートＰＣ６が収納される引出し３の下側の障害物をなくして、ノートＰＣ６が収納される引出し３の奥Ｂ側に容易に手が届くようにすることにより、引出し３の奥Ｂ側から配線４，４”を簡単に引出し３の内部に引き込むことができるので、デスクＴの手前Ｆ側に配線が剥き出しになることがなく、美観を損ねない点で有利となる。
【００３６】
また、図１に示すデスクによれば、好ましくは、引出し３と干渉しない位置に取り付けられた、配線４，４”を挿入する環状部材７をさらに含むときには、引出し３を手前Ｆ側に引き出した際、環状部材７が配線を保持するため配線４，４”が下側に垂れ下がることを防ぐので、配線４，４”がデスクＴを使用する人の足に引っかかったり、美観を損ねたりすることがなくなり、引出し３に配線４，４”が挿入されていても使いやすいものとなる。
【００３７】
また、図１に示すデスクＴによれば、好ましくは、引出し３は、奥Ｂ側に設けられ、配線４，４”を通す、溝部３ａと、溝部３ａに設けられ、押圧されることにより配線４，４”の中途４ｂ，４”ｂを挟み込み固定する弾性体３ｂとを有し、かつ固定手段５は、溝部３ａおよび弾性体３ｂであるときには、溝部３ａおよび弾性体３ｂが押圧制御により配線４，４”の中途４ｂ，４”ｂを受け止めたり、離したりする働きを適切にするため、引出し３の奥Ｂ側で配線４，４”を簡単かつ即座に着脱することができる点で有利である。また、溝部３ａおよび弾性体３ｂは引出し３の奥Ｂ側に設けられるから、引出し３の外観を損ねることもなく、また引出し３の内部において障害物となりにくい位置なので、ノートＰＣ６を収納しない用途においても従来と同様に収納物を引出し３に収納することのできる利点もある。
【００３８】
また、図１に示すデスクＴによれば、好ましくは、溝部３ａは、底部３ｃに向かって幅が狭くなる複数の開口幅ｗ１，ｗ２を有しており、引出し３の複数箇所（この例においては４箇所）に設けられるときには、様々な太さの配線４，４”に対して、複数の開口幅ｗ１，ｗ２のいずれかの溝が適切な押圧力で配線４，４”を受け止める働きをするから、様々な太さの配線４，４”を適切に固定することができ、かつそのような溝部３ａが複数箇所に設けられることにより、様々なノートＰＣのインターフェースの形状に対してもコネクタの着脱容易な位置に配線４，４”を固定することができるので、様々なノートＰＣ６に対して複数の周辺機器等の配線４，４”を即座に着脱することのできる汎用性の高いものとなる。
【００３９】
次に、図４および図５に示す本考案のノートＰＣデスクトップデスクの使用方法の実施の形態の一例は、図１〜図３に示すデスクＴの天板１上に周辺機器８を設置する段階と、周辺機器８に接続される配線４および他の配線４，４”の一端４ａ，４”ａを引出し３に引き込み、配線４，４”の中途４ｂ，４”ｂを固定手段５に固定する段階と、引出し３にノートＰＣ６を載置し、ノートＰＣ６に配線４の一端４ａ，４’ａのコネクタを接続する段階と、ノートＰＣ６を載置した引出し３を、ノートＰＣ６を起動してから、デスクＴの内部に収納する段階と、天板１上においてノートＰＣ６を使用する段階と、ノートＰＣ６を他の場所で使用したくなったときに、引出し３を開けて配線４，４’をノートＰＣ６から取り外す段階と、配線４，４’を取り外したノートＰＣ６を引出し３から取り出す段階とを含む構成である。
【００４０】
周辺機器８としては、例えば、１７インチ液晶ディスプレイ８ａ、ＵＳＢハブ８ｂ、ワイヤレスキーボード８ｃ、ＵＳＢマウス８ｄといったものがある。例えば、図４に示すように、１７インチ液晶ディスプレイ８ａおよびＵＳＢハブ８ｂをデスクＴの天板１上の奥Ｂ側に設置し、それら１７インチ液晶ディスプレイ８ａおよびＵＳＢハブ８ｂのそれぞれの他端が接続された配線４を引出し３に引き込み、それぞれの一端４ａのコネクタを、図５に示すように引出し３に収納するノートＰＣ６に接続する。そして、ワイヤレスキーボード８ｃの無線インターフェースおよびＵＳＢマウス８ｄはＵＳＢハブ８ｂに接続する。ワイヤレスキーボード８ｃの代わりにＵＳＢキーボードを使用し、ＵＳＢキーボードのＵＳＢケーブルをＵＳＢハブ８ｂに接続しても構わない。同様にＵＳＢマウス８ｄの代わりにワイヤレスマウスを使用し、ワイヤレスマウスの無線インターフェースをＵＳＢハブ８ｂに接続しても構わない。
【００４１】
ＵＳＢキーボードやＵＳＢマウス８ｄは１７インチ液晶ディスプレイ８ａ等と同様にデスクＴの奥Ｂ側から引出し３に引き込んで、直接ノートＰＣ６に接続するようにしても構わないが、ＵＳＢハブ８ｂを天板１上に設置しておいたほうが、ノートＰＣ６をデスクＴから取り出して、ＵＳＢマウス８ｄとともに持ち歩いたり、逆にデスクＴにおいて使用する元の状態に戻したりするときに、ＵＳＢマウス８ｄを簡単に着脱できる利点がある。また、天板１が電波を通しにくい材質であっても無線インターフェースが天板１上に出ていることによりワイヤレスキーボード８ｃの信号が無線インターフェースを介してノートＰＣ６に確実に伝わる利点もある。
【００４２】
他の配線４，４”としては、図５に示すように具体的にはＬＡＮケーブルと電源ケーブルといったものがある。電源ケーブル４”はノートＰＣ６をデスクＴから取り出して、ＡＣアダプタ本体とともに持ち歩くときには、固定手段５から取り外すこととなるが、電源ケーブル４”は同じようなものを２本用意しておいて、一方を固定手段５に固定したままとして、他方をデスクＴ以外のところに持ち歩くようにしても構わない。このようにすれば、電源ケーブル４”を電源コンセントから引き抜いて、固定手段５から取り外すことなく、ＡＣアダプタ本体のところで簡単に着脱して、ＡＣアダプタおよびその電源ケーブルとともにノートＰＣ６をデスクＴ以外のところに持ち歩いて使ったり、逆にデスクＴに戻って使ったりすることが簡単かつ迅速に行うことができる利点がある。
【００４３】
以上、説明したように図４および図５に示すデスクＴの使用方法によれば、デスクＴの引出し３の中に収納されたノートＰＣ６をデスクＴの天板１上の１７インチ液晶ディスプレイ８ａ、ＵＳＢハブ８ｂ、ワイヤレスキーボード８ｃ、ＵＳＢマウス８ｄといった周辺機器等と接続して使用したり、ノートＰＣ６をデスクＴの引出し３の中から取り出して単体で使用したりすることを選択的に簡単かつ即座に行うことができる。
【００４４】
本考案のノートＰＣデスクトップデスクにおいて、さらに好ましい構成について説明する。図１に示すデスクＴは、引出し３の底部は、金属製の部位かまたは貫通孔を有するものとするとよい。すなわち、ノートＰＣ６からはその動作による熱が多量に発生するから、少なくともノートＰＣ６を載置する部位の周辺に放熱性の高い部材を用いることにより、ノートＰＣ６から発生する熱を速やかに外部に逃がすことができる点で有利である。引出し３全体を熱伝導の高いステンレスやアルミニウム等の金属製としたり、引出し３に複数の小さな貫通孔を設けたりすればよい。そのような貫通孔は引出し３の内部に溜まった熱を対流により引出し３の外部に速やかに逃がす働きをする。
【００４５】
また、図１に示すデスクＴは、天板１は、電波を透過させる誘電体から成る部位を有するものとするとよい。引出し３の中に収納されたノートＰＣ６と天板１上の周辺機器等との間で無線通信をしようとすると、その間に介在する天板１の材質によっては、十分な強度の電波が届かないことがあるが、一般的に電波を透過させやすい例えば、プラスチック（有機樹脂）や木材等から成る天板１とすれば安定な無線通信をすることができるのでよい。天板１の強度を得るために電波を通過される領域以外には金属等の電波を通しにくい部材を一部に設けても構わない。
【００４６】
図１に示すデスクＴは、天板１が一つの場合を例示したが、天板１は複数であっても構わない。例えば天板１の上側に支持部材を介在させてさらにもう一つの天板を設け、その下側に引出しを設けるようにしても構わない。
【００４７】
以上、説明したように本考案によれば、デスク内に収納したノートＰＣをデスク上の周辺機器等と接続して使用したり、ノートＰＣをデスク内から取り出して単体で使用したりすることを選択的にしかも簡単かつ即座に行うことのできるノートＰＣデスクトップデスクを提供することができる。
ノートＰＣ１台でデスクトップＰＣのようにも本来のノートＰＣのようにも使えるので、特に個人のデータを一カ所で一元管理するのに役立つし、オフィスや学校、官公庁等の仕事場においては、自分のデスクで複雑な処理をしたり、他の場所で他人にデータを見せたりすることが一台のＰＣで効果的にできるのでノートＰＣの活用度が非常に高まることが期待できる。
【００４８】
また、ノートＰＣ６は一般的にはバッテリー駆動をするから、動作状態のまま電源ケーブルを引き抜いて持ち出すこともできるので、ノートＰＣを起動し直すことなく複数のデスクを移動しながら使う用途にも効果的に使用することができる。
なお、本考案は前述の実施の形態に限定されるものではなく、本考案の要旨を逸脱しない範囲において種々の変更、改良などが可能である。
【産業上の利用可能性】
【００４９】
本考案のノートＰＣデスクトップデスクは、ホテルや空港のラウンジ等の施設で不特定多数の人が利用するような用途にも適用することができ、それら施設でのサービスの質が向上することが大いに期待される。
【図面の簡単な説明】
【００５０】
【図１】本考案のノートＰＣデスクトップデスクとしてのデスクＴの実施の形態の一例を示す模式図であり、（ａ）、（ｂ）、（ｃ）、（ｄ）および（ｅ）はそれぞれ平面図、正面図、側面図、引出しの拡大斜視図、環状部材の拡大斜視図である。
【図２】図１に示すデスクＴの引出しの中にノートＰＣを収納したときの様子を示す平面図である。
【図３】図１に示すデスクＴの要部拡大図を示し、図１（ｄ）の部分拡大図である。
【図４】図１に示すデスクＴの使用方法の実施の形態の一例を示す斜視図である。
【図５】図４に示すデスクＴの使用方法における引出し内部の様子を示す斜視図である。
【符号の説明】
【００５１】
１  ：天板、
１ａ：天板１の下部
２  ：天板１を支える脚
３  ：引出し
４，４’，４”：配線
４ａ，４’ａ：配線４，４’の一端
４ｂ，４”ｂ：配線４，４”の中途
５  ：固定手段
５ａ：固定手段５の溝部
５ｂ：固定手段５の弾性体
１  ：ノートＰＣ
２  ：環状部材
８  ：周辺機器
８ａ：１７インチ液晶ディスプレイ
８ｂ：ＵＳＢハブ
８ｃ：ワイヤレスキーボード
８ｄ：ＵＳＢマウス
【図１】
0003147299.tif 000003
【図２】
0003147299.tif 000004
【図３】
0003147299.tif 000005
【図４】
0003147299.tif 000006
【図５】
0003147299.tif 000007
【手続補正書】
【提出日】平成20年11月16日(2008.11.16)
【手続補正１】
【補正対象書類名】図面
【補正対象項目名】図４
【補正方法】変更
【補正の内容】
【図４】
0003147299.tif 000008
【手続補正２】
【補正対象書類名】図面
【補正対象項目名】図５
【補正方法】変更
【補正の内容】
【図５】
0003147299.tif 000009